(57)【要約】【課題】最小の部品点数をもって慣性力や衝撃力の作用時にもストライカを捕捉し続ける機能を付与する。【解決手段】 スライダー２によってストライカＭａを、このスライダー２が前進位置から後退位置に後退する過程で捕捉し、かつ、後退位置から前進位置に前進する過程で解放するようにしてなるラッチ装置である。ベース部材１には、ストッパー３の基部３０の支持部１７が形成されていると共に、慣性力や衝撃力の作用によって付勢に抗してストッパー３が支持部１７に基部３０を案内させながら後退されるようになっている。【選択図】図１
2009185521.tif 000002
【特許請求の範囲】
【請求項１】
ベース部材と、
このベース部材に、前進位置と後退位置と最後退位置とに亘る前後動可能に支持されると共に、前方に向けた付勢力の作用を常時受けるスライダーと、
ベース部材に備えられて、スライダーの後退位置において、スライダーの被掛合部に掛合部を掛合させてスライダーをこの後退位置に位置づけると共に、後退位置にあるスライダーに対する最後退位置に向けた移動操作によって前記掛合を解くストッパーとを有し、
スライダーによってストライカを、このスライダーが前進位置から後退位置に後退する過程で捕捉し、かつ、後退位置から前進位置に前進する過程で解放するようにしてなるラッチ装置であって、
ベース部材には、ストッパーの基部の支持部が形成されていると共に、
慣性力や衝撃力の作用によって付勢に抗してストッパーが支持部に基部を案内させながら後退されるようになっていることを特徴とするラッチ装置。
【請求項２】
支持部が、スライダーの移動中心線に対して略４５度の角度をもって交叉する仮想の直線に沿った案内面を備えていることを特徴とする請求項１に記載のラッチ装置。
【請求項３】
ストッパーは、基部から前方に延びると共に前端を掛合部とした一対のアームを有しており、
一対のアームの間にスライダーが収まるようになっていると共に、スライダーの背中合わせとなる両面部にそれぞれ、被掛合部とこれを取り巻いて掛合部を案内するカム溝とが形成されていることを特徴とする請求項１又は請求項２に記載のラッチ装置。
【請求項４】
スライダーは、スライダー主体に、鈎状をなすストライカに引っかかる鈎状部を備えたロック体を回動可能に組み合わせて構成されており、
ストライカに押されて前進位置にあるスライダーが後退位置に移動することに伴ってこのストライカに鈎状部を引っかける位置までロック体が回動されるようになっていることを特徴とする請求項１〜請求項３のいずれか１項に記載のラッチ装置。
【発明の詳細な説明】
【技術分野】
【０００１】
この発明は、リッドや扉などの可動体の閉じた状態を解除可能に維持するために用いられるラッチ装置の改良に関する。
【背景技術】
【０００２】
ケース内にスライド移動可能に保持させたラッチ本体を付勢手段の付勢力に抗してロック位置にロックすると共に、ロック位置にあるラッチ本体を解除位置に押し込み操作するとこのロックが解かれるようにしたラッチ装置がある。（特許文献１参照）このラッチ装置にあっては、慣性力が作用されたときにラッチ本体と同方向に移動する応動体を備えており、この応動体に前記ロックをなすロックレバーを軸支させて、慣性力が作用されたときにこの応動体を通じてロックレバーを後退させ前記ロックを解かせないようにしている。
【０００３】
しかるに、特許文献１のものでは、ロックレバーと別体の応動体を必要不可欠とし、また、ラッチ本体のスライド移動方向に沿った慣性力の作用時とこれに直交する向きの慣性力の作用時とで、応動体を移動させる力の大きさを等しくさせ難いものであった。
【特許文献１】特許第２９１２４３３号公報
【発明の開示】
【発明が解決しようとする課題】
【０００４】
この発明が解決しようとする第一の問題点は、この種のラッチ装置において、最小の部品点数をもって慣性力や衝撃力の作用時にもストライカを捕捉し続ける機能を付与する点にある。
【０００５】
また、この発明が解決しようとする第二の問題点は、この種のラッチ装置において、スライダーの移動方向に直交する向きに慣性力や衝撃力が作用された場合でも、スライダーの移動方向に沿った向きに慣性力や衝撃力が作用されたときと同じように、スライダーと一緒にストッパーを後退させてストライカを捕捉し続けるようにする点にある。
【課題を解決するための手段】
【０００６】
前記第一の問題点を達成するために、この発明にあっては、ラッチ装置を、以下の（１）〜（６）の構成を備えたものとした。
（１）ベース部材と、
（２）このベース部材に、前進位置と後退位置と最後退位置とに亘る前後動可能に支持されると共に、前方に向けた付勢力の作用を常時受けるスライダーと、
（３）ベース部材に備えられて、スライダーの後退位置において、スライダーの被掛合部に掛合部を掛合させてスライダーをこの後退位置に位置づけると共に、後退位置にあるスライダーに対する最後退位置に向けた移動操作によって前記掛合を解くストッパーとを有し、
（４） スライダーによってストライカを、このスライダーが前進位置から後退位置に後退する過程で捕捉し、かつ、後退位置から前進位置に前進する過程で解放するようにしてなるラッチ装置であって、
（５）ベース部材には、ストッパーの基部の支持部が形成されていると共に、
（６）慣性力や衝撃力の作用によって付勢に抗してストッパーが支持部に基部を案内させながら後退されるようになっている。
【０００７】
スライダーはストライカを後退位置において捕捉し、これにより典型的には、ストライカの設けられたリッドや扉などの可動体を保持する。この状態においてラッチ装置に、スライダーの移動方向に沿った慣性力や衝撃力及びスライダーの移動方向に交叉する向きの慣性力や衝撃力の双方又はいずれか一方が作用されると、スライダーは最後退位置に向けて移動される場合が生じるが、スライダーがこのように最後退位置に向けて移動されたときにはストッパーも同じく後退させて、スライダーの被掛合部に対するストッパーの掛合部の掛合状態を維持させることができる。これにより、このような慣性力や衝撃力が作用されたときにラッチ装置による可動体の掛止状態が解かれないようにすることができる。こうした慣性力や衝撃力の作用が止むと、付勢によりストッパーは元の位置に押し戻され、最後退位置に向けてスライダーを押し込むように前記可動体を操作することで、ストッパーの掛合部とスライダーの被掛合部との掛合を解いて付勢によりスライダーを前進位置に移動させてストライカの捕捉を解き、可動体をフリーにさせることができる。
【０００８】
これに加えて、前記第二の問題点は、前記ストッパーの基部の支持部が、スライダーの移動中心線に対して略４５度の角度をもって交叉する仮想の直線に沿った案内面を備えるようにしておくことで解決される。
【０００９】
すなわち、このようにしておけば、慣性力や衝撃力の作用時のストッパーの後退を、この慣性力や衝撃力の向きがスライダーの移動方向に直交する向きであるときも、スライダーの移動方向に沿った向きのときと同じように、一定の大きさ以上の力の作用をもって生じさせることができる。
【００１０】
また、前記ストッパーを、基部から前方に延びると共に前端を掛合部とした一対のアームを有したものとし、一対のアームの間にスライダーが収まるようにしておくと共に、スライダーの背中合わせとなる両面部にそれぞれ、被掛合部とこれを取り巻いて掛合部を案内するカム溝とを形成させるようにしておけば、スライダーの後退位置においてかかるスライダーをストッパーによって安定的に保持させることができる。
【００１１】
また、前記スライダーを、スライダー主体に、鈎状をなすストライカに引っかかる鈎状部を備えたロック体を回動可能に組み合わせて構成させ、
ストライカに押されて前進位置にあるスライダーが後退位置に移動することに伴ってこのストライカに鈎状部を引っかける位置までロック体が回動されるようにしておくこともある。
【００１２】
このようにすれば、かかるスライダーによってストライカを、このスライダーが前進位置から後退位置に後退する過程で捕捉し、かつ、後退位置から前進位置に前進する過程で解放することができる。
【発明の効果】
【００１３】
この発明にかかるラッチ装置によれば、所定の大きさの慣性力や衝撃力の作用時に、スライダーの後退量分ストッパー自体を後退させてストッパーの掛合部をスライダーの被掛合部に掛合させた状態を維持させることができることから、最小の部品点数をもって慣性力や衝撃力の作用時にもスライダーを通じてストライカを捕捉し続けることができる。
【００１４】
また、前記ストッパーの基部の支持部が、スライダーの移動中心線に対して略４５度の角度をもって交叉する仮想の直線に沿った案内面を備えるようにしておくことで、スライダーの移動方向に直交する向きに慣性力や衝撃力が作用された場合でも、スライダーの移動方向に沿った向きに慣性力や衝撃力が作用されたときと同じように、スライダーと一緒にストッパーを後退させてストライカを捕捉し続けることができる。
【発明を実施するための最良の形態】
【００１５】
以下、図１〜図９に基づいて、この発明を実施するための最良の形態について説明する。
【００１６】
なお、ここで図１〜図４はラッチ装置を断面にしストライカＭａを想像線で表すと共に、ラッチ装置の取り付けられる固定体の記載を省略して示しており、図１はラッチ装置にストライカＭａが捕捉される直前又はラッチ装置からストライカＭａが解放された直後の状態を、図２はラッチ装置にストライカＭａが捕捉された直後の状態を、図３はストライカＭａを捕捉したスライダー２にストッパー３が掛合してストライカＭａの捕捉状態を維持させた状態を、図４は図３の状態から慣性力や衝撃力が作用されてスライダー２が最後退位置に向けて移動された状態を、それぞれ示している。図３の状態から最後退位置に向けてストライカＭａの備えられた可動体Ｍを押し込み操作するとスライダー２は最後退位置に向けて後退してスライダー２とストッパー３との掛合が解かれ、図１の状態への復帰がなされる。
【００１７】
また、図５はラッチ装置を構成するベース部材１を、図６はラッチ装置を構成するスライダー２とストッパー３を、図７はストッパー３を、図８はベース部材１を断面にして、図９及び図１０はラッチ装置を断面にして示しており図１０は図９と反対の側からラッチ装置を断面にして示している。
【００１８】
この実施の形態にかかるラッチ装置は、リッドや扉などの可動体Ｍの閉じた状態を解除可能に維持するために用いられるものである。
【００１９】
リッドや扉の閉止に用いられる場合には、典型的には、かかるラッチ装置は、こうしたリッドなどによって閉じられる開口部を持った固定体の内部にかかる開口部側に前部を向けるようにして備えられ、リッドなどが閉じきられる直前においてかかるリッドなどに備えられたストライカＭａを後述するスライダー２によって捕捉してリッドが閉じきられた状態を維持するように用いられる。
【００２０】
かかるラッチ装置は、ベース部材１と、スライダー２と、ストッパー３とを備えて構成されている。
【００２１】
ベース部材１は、スライダー２とストッパー３を支持して両者を連動させるように組み合わせるものである。かかるベース部材１は、スライダー２を、前進位置と後退位置と最後退位置とに亘る前後動可能に支持している。
【００２２】
ベース部材１は、筒前端１０ａを解放させた角筒状をなすように構成されている。筒前端１０ａには外鍔１０ｂが形成されていると共に、四つの側板１０ｃのうち、向き合った一対の側板１０ｃ、１０ｃには、外鍔１０ｂ側に掛合端を向けた弾性掛合片１１が形成されている。図示の例では、図示しない取り付け穴にこの取り付け穴に外鍔１０ｂが引っかかる位置までベース部材１をその筒後端１０ｆ側から入れ込ませる過程で弾性掛合片１１を一旦内向きに撓み込ませた後に弾発させてこの外鍔１０ｂとの間で取り付け穴の穴縁を挟み付けさせて、この取り付け穴が形成された部材にラッチ装置をワンタッチで取り付けることができるようにしてある。
【００２３】
ベース部材１の四つの側板１０ｃのうち、弾性掛合片１１が備えられていない一対の側板１０ｃ、１０ｃの一方（以下、この側板１０ｃを第一側板１０ｄという。）の内面には、ベース部材１の筒前端１０ａと筒後端１０ｆとの間において、この第一側板１０ｄに向き合う側板１０ｃ（以下、この側板１０ｃを第二側板１０ｅという。）の側に向けてベース部材１の内径の略半分の位置まで突き出す仕切り壁部１２が形成されている。この仕切り壁部１２は筒前端１０ａに向けて突き出す後述するバネ４の支持突起１２ａを備えている。また、第一側板１０ｄの仕切り壁部１２と筒前端１０ａとの間には、前後方向に長く続くスロット１３が形成されている。また、このスロット１３を挟んだ両側にはそれぞれ、第二側板１０ｅの側に頂部１４ａを向けた山状部１４が形成されている。
【００２４】
また、仕切り壁部１２と筒後端１０ｆとの間には、ベース部材１の弾性掛合片１１の備えられた一対の側板１０ｃ、１０ｃの内面との間にそれぞれ略等しい間隔を開けるようにして、第一側板１０ｄと第二側板１０ｅとの間に亘って架橋片１５が設けられている。この架橋片１５は、ベース部材１の筒軸、すなわち、スライダー２の移動中心線ｘに対して、略直交する向きに第二側板１０ｅから内方に向かう垂直部分１５ａと、この垂直部分１５ａの内端から第一側板１０ｄの内面に亘ると共に第一側板１０ｄ側に近づくに連れて次第に後方に向かう傾斜部分１５ｂとを備えている。そして、この架橋片１５の傾斜部分１５ｂは、スライダー２の移動中心線ｘに対して略４５度の角度をもって交叉する仮想の直線ｙに沿うように形成されている。また、ベース部材１における架橋片１５よりも後方には、架橋片１５を挟んだ両側にそれぞれ、第二側板１０ｅ側から第一側板１０ｄ側に突き出すと共に、前方を向いたかかる突きだし方向にある側端を架橋片１５の傾斜部分１５ｂに略平行をなす傾斜面１６ａとした突部１６が形成されている。図示の例では、かかる架橋片１５はその長さ方向に亘る割溝１５ｃにより二分されている。架橋片１５の第一側板１０ｄとの連接部であってかかる割溝１５ｃ間に位置される箇所には、後述するバネ５の支持突起１５ｄが架橋片１５の傾斜部分１５ｂの傾斜に沿う向きに突き出すように形成されている。
【００２５】
図示の例では、かかる架橋片１５と突部１６を、後述するストッパー３の基部３０の支持部１７としており、この架橋片１５の傾斜部分１５ｂと突部１６とがそれぞれスライダー２の移動中心線ｘに対して略４５度の角度をもって交叉する仮想の直線ｙに沿ったストッパー３の基部３０の案内面１７ａを持っている。
【００２６】
スライダー２は、図示の例では、スライダー主体２０と、ロック体２１とを組み合わせて構成されている。
【００２７】
図示の例では、スライダー主体２０は、ベース部材１内にガタ少なく収まる大きさを備えた前部２０ａと、ベース部材１の弾性掛合片１１が備えられた側板１０ｃの内面との間に隙間を形成させるように形成された後部２０ｃとを備えている。スライダー主体２０の後部２０ｃの、スライダー２の移動中心線ｘを挟んだ第二側板１０ｅ側には、ベース部材１の弾性掛合片１１が備えられた側板１０ｃに向けられた面部にそれぞれ、後述する被掛合部２０ｄとこれを取り巻くカム溝２０ｅが形成されている。
【００２８】
スライダー２は後方には、スライダー主体２０の後部２０ｃが前方からベース部材１の仕切り壁部１２に突き当たる位置まで移動可能とされている。（図２／スライダー２の最後退位置）
【００２９】
スライダー主体２０の後部２０ｃには前後方向に沿って貫通穴２０ｆが形成されており、仕切り壁部１２にバネ後端を押しつけさせ、かつ、この貫通穴２０ｆを通じてバネ前端をスライダー主体２０の前部２０ａの後面に押しつけさせた圧縮コイルバネ４によってスライダー２は前方に向けた付勢力の作用を常時受けるようになっている。スライダー主体２０の後部２０ｃにはベース部材１の第一側板１０ｄのスロット１３に入り込んだ抜け止め突起２０ｇが形成されており、スライダー２は前方には、この抜け止め突起２０ｇがスロット１３の前端に突き当たる位置まで移動可能とされている。（図１／スライダー２の前進位置）
【００３０】
また、スライダー主体２０の前部２０ａはその前側を枠状部２０ｂとして構成させている。この枠状部２０ｂは第一側板１０ｄ側と第二側板１０ｅ側とでそれぞれ開放されていると共に、この枠状部２０ｂと第二側板１０ｅとの間にはストライカＭａの進入空間ｓが形成されるようになっている。
【００３１】
ロック体２１は、スライダー主体２０に、回動可能に組み合わせて構成されている。図示の例では、ロック体２１は、前部２０ａに鈎状をなすストライカＭａに引っかかる鈎状部２１ａを備えると共に、後方に向けて突き出す一対の腕部２１ｃ、２１ｃを有している。
【００３２】
ロック体２１の一対の腕部２１ｃ、２１ｃは、その間にスライダー主体２０の後部２０ｃを納める間隔を開けて設けられていると共に、それぞれその長さ方向中程の位置に、他方の腕部２１ｃ側に向けて突き出す軸突起２１ｄを備えている。図示の例では、スライダー主体２０の後部２０ｃにおけるスライダー２の移動中心線ｘを挟んだ第一側板１０ｄ側にかかる軸突起２１ｄを納める長穴状をなす軸穴２０ｈが形成されており、スライダー主体２０の枠状部２０ｂに第一側板１０ｄ側から鈎状部２１ａを入れ込ませ、かつ、一対の腕部２１ｃ、２１ｃ間にスライダー主体２０の後部２０ｃを納めて前記軸突起２１ｄをそれぞれ軸穴２０ｈに入れ込ませることにより、ロック体２１をスライダー主体２０に回動可能に組み合わせている。
【００３３】
図示の例では、スライダー２が前進位置にあるときは、前記山状部１４の頂部１４ａにロック体２１の腕部２１ｃの後端２１ｅが支持されてロック体２１は鈎状部２１ａを枠状部２０ｂ内に納める位置に位置づけられ、一方、スライダー２が後退位置にあるときは、前記山状部１４の頂部１４ａよりも後方にロック体２１の腕部２１ｃの後端２１ｅが入り込みロック体２１は腕部２１ｃを山状部１４に案内されて前記軸突起２１ｄを中心に鈎状部２１ａ側が第二側板１０ｅに近づく向きに回動されてこの鈎状部２１ａが枠状部２０ｂより前記進入空間ｓ内に突き出すようになっている。 そして、かかるスライダー２によってストライカＭａを、このスライダー２が前進位置から後退位置に後退する過程で捕捉し、かつ、後退位置から前進位置に前進する過程で解放するようにしている。
【００３４】
図示の例では、スライダー２が前進位置にある状態において、スライダー主体２０の前部２０ａはベース部材１の筒前端１０ａより前方に突き出されており、前記枠状部２０ｂ上、さらには前記進入空間ｓへのストライカＭａーの入り込みが許容され、移動してくるストライカＭａはスライダー主体２０の枠状部２０ｂ上で前部２０ａに突き当たって前記バネ４の付勢に抗してスライダー２を後退位置に押し込み移動させる。そしてこれに伴って入り込んできた鈎状をなすストライカＭａに鈎状部２１ａを引っかける位置までロック体２１が回動されるようになっている。図示の例では、ストライカＭａは枠状部２０ｂ側に突き出す爪Ｍｂを持った鈎状に構成され、ロック体２１の鈎状部２１ａは第二側板１０ｅ側に突き出す爪２１ｂを持つように構成されている。
【００３５】
スライダー２は、ストライカＭａを、このスライダー２が前進位置から後退位置に後退する過程で捕捉し、かつ、後退位置から前進位置に前進する過程で解放するようにするものであれば良く、図示の構成のものに限られない。ストライカＭａの形状も必要に応じて変更される。例えば、スライダー２は、前記ロック体２１に代えて、スライダー主体２０に樹脂ヒンジ部を介して一体に連接されて前方に突き出すと共にスライダー２が前進位置にあるときに外開き状に位置づけられる一対のウイングを備え、この一対のウイング間にストライカＭａが受け入れられると共に受け入れられるストライカＭａに押されてスライダー２が後退する過程でベース部材１の内壁によって一対のウイングを内向きにすぼませてこの一対のウイングによってストライカＭａを抱持状に捕捉するものとして構成させておくこともできる。
【００３６】
ストッパー３は、ベース部材１に備えられて、スライダー２の後退位置において、スライダー２の被掛合部２０ｄに掛合部３１ａを掛合させてスライダー２をこの後退位置に位置づけると共に、後退位置にあるスライダー２に対する最後退位置に向けた移動操作によって前記掛合を解くものである。
【００３７】
図示の例では、かかるストッパー３は、両端に円盤状の鍔部３０ａを備えたボビン状をなす基部３０と、この基部３０から前方に延びると共に前端を掛合部３１ａとした一対のアーム３１、３１とを有している。図示の例では、一対のアーム３１、３１の後端間を連接させる連接部３１ｂを備える金属線材のこの連接部３１ｂの外側に前記基部３０を一体に設けさせることでストッパー３が構成されている。かかる基部３０は、後述する慣性力や衝撃力にストッパー３が応答し易い重さを持つように構成される。例えば、金属粉を混ぜた樹脂材料により、前記金属線材をインサートとして基部３０を射出成形することで、基部３０に所望の重さを持たせたストッパー３を容易に成形させることができる。
【００３８】
掛合部３１ａは、図示の例では、前記アーム３１の前端を他方のアーム３１の側に屈曲させることで構成されている。
【００３９】
また、かかるストッパー３は、前記ベース部材１の架橋片１５と突部１６に、その基部３０を支持させている。図示の例では、架橋片１５に後方側からストッパー３の基部３０の二箇所の鍔部３０ａ間にある中央部３０ｂの前端を接しさせると共に、前記突部１６の傾斜面１６ａに前方側からストッパー３の鍔部３０ａの後端２１ｅ側を接しさせて、この架橋片１５と突部１６との間で斜め後方側への移動を可能とした状態でストッパー３の基部３０を支持させている。基部３０の中央部３０ｂの後部２０ｃには、圧縮コイルバネ５のバネ前端の入れ込み穴３０ｃが形成されており、この入れ込み穴３０ｃにバネ前端を入れ込み、かつ、バネ他端に架橋片１５の第一側板１０ｄとの連接部３１ｂに形成された前記支持突起１５ｄを入れ込ませた圧縮コイルバネ５によって、ストッパー３の基部３０は架橋片１５の垂直部分１５ａと傾斜部分１５ｂとの連接箇所に基部３０の中央部３０ｂの前端を押し当てさせた前進位置に位置づけられるようになっている。（図１）
【００４０】
これにより、かかるストッパー３は、慣性力や衝撃力の作用によって付勢に抗して前記支持部１７に基部３０を案内させながら後退されるようになっている。前記バネの付勢力を調整することで、スライダー２の付勢に抗した後退を生じさせる大きさの慣性力や衝撃力が作用されたときに、ストッパー３も前記バネの付勢に抗して後退するようにすることができる。
【００４１】
スライダー２はストライカＭａを後退位置において捕捉し、これにより典型的には、ストライカＭａの設けられたリッドや扉などの可動体Ｍを保持する。この状態においてラッチ装置に、スライダー２の移動方向に沿った慣性力や衝撃力及びスライダー２の移動方向に交叉する向きの慣性力や衝撃力の双方又はいずれか一方が作用されると、スライダー２は最後退位置に向けて移動される場合が生じるが、スライダー２がこのように最後退位置に向けて移動されたときにはストッパー３も同じく後退させて、スライダー２の被掛合部２０ｄに対するストッパー３の掛合部３１ａの掛合状態を維持させることができる。（図４）これにより、このような慣性力や衝撃力が作用されたときにラッチ装置による可動体Ｍの掛止状態が解かれないようにすることができる。こうした慣性力や衝撃力の作用が止むと、付勢によりストッパー３は元の位置に押し戻され、最後退位置に向けてスライダー２を押し込むように前記可動体Ｍを操作することで、ストッパー３の掛合部３１ａとスライダー２の被掛合部２０ｄとの掛合を解いて付勢によりスライダー２を前進位置に移動させてストライカＭａの捕捉を解き、可動体Ｍをフリーにさせることができる。
【００４２】
具体的には、図示の例では、スライダー２の被掛合部２０ｄは、前方に向けられた側に窪み２０ｊを備えた略ハート型の突起２０ｉのこの窪み２０ｊによって構成されている。この突起２０ｉは、カム溝２０ｅに取り巻かれている。このカム溝２０ｅは、ストッパー３の掛合部３１ａを納める溝幅を有している。
【００４３】
かかるカム溝２０ｅは、スライダー主体２０の後部２０ｃの後端から突起２０ｉの窪み２０ｊと反対の側に続く出入路Ｒａと、この出入路Ｒａから突起２０ｉの第一側板１０ｄ側を通って突起２０ｉよりも前方に至る往路Ｒｂと、出入路Ｒａから突起２０ｉの第二側板１０ｅ側を通って突起２０ｉよりも前方に至る復路Ｒｃとを備えている。往路Ｒｂと復路Ｒｃの中間にはそれぞれ突起２０ｉの窪み２０ｊへの連通部Ｒｄが形成されている。
【００４４】
スライダー２の背中合わせとなる両面部、図示の例では、スライダー主体２０の後部２０ｃにおけるベース部材１の弾性掛合片１１を備えた側板１０ｃに向き合う面部においてそれぞれ、スライダー２が前進位置にあるときにストッパー３の掛合部３１ａはカム溝２０ｅの出入路Ｒａに位置され、付勢に抗してスライダー２が最後退位置まで押し込みきられるとストッパー３の掛合部３１ａは往路Ｒｂの前端Ｒｂ’に位置され、次いでスライダー２の押し込み操作が解かれて付勢によりスライダー２が後退位置まで前進する過程で連通部Ｒｄを通じて前記窪み２０ｊに入り込み、前記付勢によりこの窪み２０ｊにストッパー３の掛合部３１ａが掛合してスライダー２が後退位置にある状態が維持されるようになっている。それと共に、スライダが後退位置にある状態から付勢に抗してスライダー２を最後退位置まで押し込み操作すると、ストッパー３の掛合部３１ａは連通部Ｒｄを通じて窪み２０ｊから抜け出して復路Ｒｃの前端Ｒｃ’に至り、次いでこの押し込み操作を解くと連通部Ｒｄには入らずに復路Ｒｃを通じて出入路Ｒａに至り、スライダー２を前進位置に復帰させるようになっている。
【００４５】
かかるストッパー３の掛合部３１ａの往復動作は、カム溝２０ｅの深さを変えて掛合部３１ａが逆走しないようにすることにより確保させることができる。あるいはまた、スライダー主体２０の後部２０ｃの背中合わせの向きにある両面部にそれぞれ設けられたカム溝２０ｅの一方と他方の形状を若干異ならせるようにして、ストッパー３の一対のアーム３１、３１の連接部３１ｂにねじり力を働かせ、このねじり力により掛合部３１ａがカム溝２０ｅを逆走しないようにすることにより確保させることができる。
【００４６】
図示の例とは別に、かかる被掛合部２０ｄとカム溝２０ｅは、スライダー主体２０の後部２０ｃの一面部にのみ形成させておいても良く、この場合にはストッパー３は一つのアーム３１を備えれば足りることとなる。
【００４７】
この実施の形態にあっては、ストッパー３の基部３０の支持部１７、つまり、架橋片１５の傾斜部分１５ｂと突部１６の傾斜面１６ａは、スライダー２の移動中心線ｘに対して略４５度の角度をもって交叉する仮想の直線ｙに沿った案内面１７ａとなっていることから、慣性力や衝撃力の作用時のストッパー３の後退を、この慣性力や衝撃力の向きがスライダー２の移動方向に直交する向きであるときも、スライダー２の移動方向に沿った向きのときと同じように、一定の大きさ以上の力の作用をもって生じさせることができるようになっている。
【図面の簡単な説明】
【００４８】
【図１】ラッチ装置の使用状態を示した断面構成図
【図２】ラッチ装置の使用状態を示した断面構成図
【図３】ラッチ装置の使用状態を示した断面構成図
【図４】ラッチ装置の使用状態を示した断面構成図
【図５】ベース部材１の斜視構成図
【図６】スライダー２とストッパー３の分離斜視構成図
【図７】ストッパー３の斜視構成図（図６の左側から見た図）
【図８】ベース部材１の要部破断斜視構成図
【図９】ラッチ装置の要部破断斜視構成図
【図１０】ラッチ装置の要部破断斜視構成図
【符号の説明】
【００４９】
Ｍａ  ストライカ
１  ベース部材
１７  支持部
２  スライダー
２０ｄ  被掛合部
３  ストッパー
３０  基部
３１ａ  掛合部
【図１】
2009185521.tif 000003
【図２】
2009185521.tif 000004
【図３】
2009185521.tif 000005
【図４】
2009185521.tif 000006
【図５】
2009185521.tif 000007
【図６】
2009185521.tif 000008
【図７】
2009185521.tif 000009
【図８】
2009185521.tif 000010
【図９】
2009185521.tif 000011
【図１０】
2009185521.tif 000012